(57)【要約】【課題】  レールの溝や取付構造部が表面に露出して外観を損なうことを防止するとともに、簡単な構造で、レールの着脱や機能部品の支持及び水平位置調整を容易に行うことができる壁面用ハンガーレールの取付構造及びハンガーレールを提供する。【解決手段】  壁面９に取り付けられて各種機能部品を支持する壁面用ハンガーレール２の取付構造において、長尺のハンガーレール２と、ハンガーレール２の裏面側と壁面９とに取り付けられハンガーレール２と壁面９の間に隙間を確保する支持ブラケット３とを備え、ハンガーレール２と支持ブラケット３の間には係止溝２１と係止突部１３，１６とが設けられ、係止突部１３，１６を係止溝２１に挿入して仮止した状態でねじ部材６により係止突部１３，１６を拡径することで係止溝２１に係止される。【選択図】      図４
2008061666.tif 000002
【特許請求の範囲】
【請求項１】
壁面に取り付けられて各種機能部品を支持する壁面用ハンガーレールの取付構造において、
長尺のハンガーレールと、該ハンガーレールの裏面側と前記壁面とに取り付けられ前記ハンガーレールと前記壁面の間に隙間を確保する支持ブラケットとを備え、前記ハンガーレールと前記支持ブラケットの間には係止溝と係止突部とが設けられ、前記係止突部を前記係止溝に挿入して仮止した状態でねじ部材により前記係止突部を拡径することで前記係止溝に係止されることを特徴とする壁面用ハンガーレールの取付構造。
【請求項２】
壁面に取り付けられて各種機能部品を支持する壁面用ハンガーレールの取付構造において、
長尺のハンガーレールと、該ハンガーレールの裏面側と前記壁面とに取り付けられ前記ハンガーレールと前記壁面の間に隙間を確保する支持ブラケットとを備え、前記ハンガーレールの裏面側にはレール幅の中央部において長尺方向に沿って形成される支持ブラケットの係止溝と、レール幅の上下部において長尺方向に沿ってそれぞれ形成され各種機能部品を支持する係止溝とが設けられ、前記支持ブラケットの先端には首部を介して係止突部が設けられるとともに前記係止突部を拡径するねじ部材が設けられ、前記係止突部を前記係止溝に挿入して仮止した状態で前記ねじ部材により前記係止突部を拡径することで前記係止溝に係止されることを特徴とする壁面用ハンガーレールの取付構造。
【請求項３】
請求項２に記載の壁面用ハンガーレールの取付構造において、前記係止突部が切割されるとともに前記ねじ部材が切割に交差して設けられ、前期係止突部の先端が楔面に形成されていることを特徴とする壁面用ハンガーレールの取付構造。
【請求項４】
請求項２又は３に記載の壁面用ハンガーレールの取付構造において、前記ねじ部材は前記係止突部の下面から切割に螺合されていることを特徴とする壁面用ハンガーレールの取付構造。
【請求項５】
支持ブラケットにより隙間を介して壁面に取り付けられて各種機能部品を支持する壁面用ハンガーレールの取付構造に用いられるハンガーレールであって、
前記ハンガーレールの裏面側には、レール幅の中央部において長尺方向に沿って形成される前記支持ブラケット用の中央の係止溝と、レール幅の上下部において長尺方向に沿ってそれぞれ形成され各種機能部品のコ字形の係止部分を支持する上下の係止溝とが設けられ、前記上下の係止溝には、各種機能部品のコ字形の一方係止片の外面を当接するレール裏面側の当接面部と、当接時に前記一方係止片を底側から当接側へ誘導する誘導傾斜面と、上下部からそれぞれ中央部に向けて延長されるとともに前記各種機能部品のコ字形の中間を支持する支持片とを備えていることを特徴とするハンガーレール。
【発明の詳細な説明】
【技術分野】
【０００１】
本発明は、壁面に取り付けられてフックや棚等の各種機能部品を支持するハンガーレールを備えた壁面用ハンガーレールの取付構造及びハンガーレールに関するものである。
【背景技術】
【０００２】
従来、壁面に取り付けられた長尺のハンガーレールに、フックや棚等の各種機能部品を、引掛け、吊持、係合等により支持して取り付けることが行われている。このような方法で各種機能部品を支持することにより、壁面等の内装材に大規模な改造を加えることなく、壁面の任意の場所に各種機能部品を取り付けることができる。
【０００３】
このような壁面用ハンガーレールやその取付構造として、例えば特許文献１および特許文献２に開示されたものが提案されている。
【０００４】
特許文献１には、壁面に取り付けられるレールに溝が形成されていて、その溝に各種機能部品を取り付けるハンガーレールが開示されている。また、特許文献２には、板厚の大きいボード材に各種家具用部品を装着する取付構造が開示されている。これらは、いずれも、レール状の取付具の表面側の溝に各種部品を嵌め込んで取り付けるものであり、その取付部を溝に沿ってスライドさせることにより、取付具上の任意の位置に部品を取り付けることができる。
【０００５】
ところが、上記特許文献１，２に開示されたものは、いずれも、各種部品を取り付ける取付構造部が表面側から見え、視覚的に煩雑な印象を与える。さらに、部品支持用の溝の使用していない部分が表面に露出し、壁面の外観を損なうという問題点がある。
【０００６】
そこで、本発明の出願人は、壁面から隙間を設けてハンガーレールを設置し、ハンガーレールの裏面に各種機能部品を取り付けることにより、壁面の外観低下を防ぐ方法を発明し、以下のような壁面用ハンガーレール構造を試験した。
【０００７】
図１２に試験した壁面用ハンガーレール構造５１を示す。壁面用ハンガーレール構造５１は、長尺のハンガーレール５２と、適宜間隔で取り付けられる複数の支持ブラケット５３により構成される。ハンガーレール５２の裏面側には、それぞれ長尺方向に沿って、中央係止溝６１、ロック用溝６２、上下の係止溝６３が上下対称に形成される。中央係止溝６１は、レール幅の中央に形成され、支持ブラケット５３の係止片５３１が係止される。中央係止溝６１の開口側には、上下対称に、抜止片６４が形成されている。ロック用溝６２は、中央係止溝６１の上下両側に形成され、ロック部材５４の爪部５４１が係止される。上下の係止溝６３，６３は、レール幅の上下両端部に形成され、各種機能部品が取り付けられる。支持ブラケット５３の先端部に、抜止片６４を挟み込む形状の凹部５３２が形成され、その先端側に、中央係止溝６１に嵌め込まれる係止片５３１が設けられている。支持ブラケット５３の下部に、爪部５４１を有するロック部材５４が取り付けられる。
【０００８】
この壁面用ハンガーレール構造５１の取付方法の概略は、以下の通りである。支持ブラケット５３を壁面９にねじ８で固定する。係止片５３１をハンガーレール５２の中央係止溝６１に嵌め込むとともに、凹部５３２で抜止片６４を挟み込む。その後、ロック部材５４の操作部５４２を矢印方向に回して爪部５４１をロック用溝６２に係止させる。このように、この壁面用ハンガーレール構造５１によると、簡単な方法で、ハンガーレール５２が壁面９から隙間を設けて設置され、ハンガーレール５２の裏面側に設けた上下の係止溝６３，６３を用いて、各種機能部品を取り付けることができる。また、ロック部材５４の操作部５４２を矢印の逆方向に回すことにより、ハンガーレール５２を容易に取り外すことができる。
【特許文献１】特開平７−３６７７０号公報
【特許文献２】実用新案登録第３０７８６９２号公報
【発明の開示】
【発明が解決しようとする課題】
【０００９】
しかしながら、この壁面用ハンガーレール構造５１は、ロック部材５４を取り付ける支持ブラケット５３の構造や、ロック用溝６２を設けたハンガーレール５２の構造が複雑であり、製造コストが高くなるという問題があった。
【００１０】
本発明は、このような試験に基づく問題点を考慮してなされたものであり、レールの溝や取付構造部が表面に露出して外観を損なうことを防止するとともに、簡単な構造で、レールの着脱や機能部品の支持を容易に行うことができる壁面用ハンガーレールの取付構造及びハンガーレールの提供を目的とする。
【課題を解決するための手段】
【００１１】
上記問題を解決するため、本発明に係る壁面用ハンガーレール構造は、特許請求の範囲の請求項１〜５に記載の手段を採用する。
【００１２】
請求項１の発明は、壁面に取り付けられて各種機能部品を支持する壁面用ハンガーレールの取付構造において、長尺のハンガーレールと、該ハンガーレールの裏面側と前記壁面とに取り付けられ前記ハンガーレールと前記壁面の間に隙間を確保する支持ブラケットとを備え、前記ハンガーレールと前記支持ブラケットの間には係止溝と係止突部とが設けられ、前記係止突部を前記係止溝に挿入して仮止した状態でねじ部材により前記係止突部を拡径することで前記係止溝に係止されることを特徴とする。
【００１３】
請求項２の発明は、壁面に取り付けられて各種機能部品を支持する壁面用ハンガーレールの取付構造において、長尺のハンガーレールと、該ハンガーレールの裏面側と前記壁面とに取り付けられ前記ハンガーレールと前記壁面の間に隙間を確保する支持ブラケットとを備え、前記ハンガーレールの裏面側にはレール幅の中央部における長尺方向に沿って形成される支持ブラケットの係止溝と、レール幅の上下部における長尺方向に沿ってそれぞれ形成され各種機能部品を支持する係止溝とが設けられ、前記支持ブラケットの先端には首部を介して係止突部が設けられるとともに前記係止突部を拡径するねじ部材が設けられ、前記係止突部を前記係止溝に挿入して仮止した状態で前記ねじ部材により前記係止突部を拡径することで前記係止溝に係止されることを特徴とする。
【００１４】
請求項３の発明は、請求項２に記載の発明において、前記係止突部が切割されるとともに前記ねじ部材が切割に交差して設けられ、前期係止突部の先端が楔面に形成されていることを特徴とする。
【００１５】
請求項４の発明は、請求項２又は３に記載の発明において、前記ねじ部材は前記係止突部の下面から切割に螺合されていることを特徴とする。
【００１６】
請求項５の発明は、支持ブラケットにより隙間を介して壁面に取り付けられて各種機能部品を支持する壁面用ハンガーレールの取付構造に用いられるハンガーレールであって、前記ハンガーレールの裏面側には、レール幅の中央部における長尺方向に沿って形成される前記支持ブラケット用の中央係止溝と、レール幅の上下部における長尺方向に沿ってそれぞれ形成され各種機能部品のコ字形の係止部分を支持する上下の係止溝とが設けられ、前記上下の係止溝には、各種機能部品のコ字形の一方係止片の外面を当接するレール裏面側の当接面部と、当接時に前記一方係止片を底側から当接側へ誘導する誘導傾斜面と、上下部からそれぞれ中央部に向けて延長されるとともに前記各種機能部品のコ字形の中間を支持する支持片とを備えていることを特徴とする。
【発明の効果】
【００１７】
請求項１の発明によると、ハンガーレールの裏面側に支持ブラケットを取り付けるので、レールと壁面との取付構造部が表面に露出することがなく、壁面の外観を損なわない。さらに、各種機能商品をハンガーレールの裏面側に取り付けることができるので、これらの取付部も表面に露出しない。
【００１８】
また、ねじ部材を用いて係止突部を拡径することにより、簡単な工程で、確実にハンガーレールが支持ブラケットに固定される。取り外しは、ねじ部材を逆方向に回すことにより簡単に行うことができる。
【００１９】
請求項２の発明によると、ハンガーレールの裏面側に、支持ブラケットや機能部品を支持する係止溝が長尺方向に沿って形成されているので、部品の製造が容易である。また、係止突部を係止溝内に挿入した後、ねじ部材を操作すると係止突部が拡径して係止されるので、簡単な作業で、係止突部が確実に係止される。さらに、取付構造部が表面に露出せず、外観を損なわない。
【００２０】
請求項３の発明によると、係止突部を切割しねじ部材を切割に交差させるという簡単な構造により、ねじ部材で拡径して係止させることができる。
【００２１】
請求項４の発明によると、ねじ部材を外側に露出しないように支柱部内に納めることができ、外観を損なわない。しかも、支持ブラケットの外側から、簡単に操作することができる。
【００２２】
請求項５の発明によると、簡単な構造のハンガーレールによって、支持ブラケットに加え、コ字形の簡単な構造の係止部分を備えた各種機能部品を支持することができる。
【発明を実施するための最良の形態】
【００２３】
以下、本発明の実施の形態を、図面を参照して説明する。
【００２４】
図１〜図４は、本発明の壁面用ハンガーレール構造の実施の形態における施工時の各工程を示す縦断面図である。尚、各部材が取り付けられる際の壁面側を裏面とし、壁面と反対側の室内側を表面とする。
【００２５】
壁面用ハンガーレール構造１は、ハンガーレール２と支持ブラケット３からなる。支持ブラケット３は、支柱部１２を有するブラケット本体４、係止板５、ねじ部材６、カバー７により構成される。支持ブラケット３は、適宜間隔で壁面に複数設置される。
【００２６】
ハンガーレール２は、アルミ等の金属やＰＶＣ等の合成樹脂を材料とし、通常押出成型により製造される長尺の部材である。ハンガーレール２の裏面には、後述する支持ブラケット３の係止突部１３，１６を係止する中央係止溝２１と、各種機能部品を取り付けるための上下の係止溝２２が設けられている。中央係止溝２１と上下の係止溝２２は、ハンガーレール２の長さ方向に沿って形成される。本実施の形態では、幅方向中央に中央係止溝２１が形成され、その上下に２つの係止溝２２，２２が形成されている。中央係止溝２１の開口側には、上下に抜止片２３ａ，２３ｂが設けられる。上下の係止溝２２の開口側には、それぞれハンガーレール２の内側（中央寄り）の支持片２４と外側の支持片２５が設けられる。尚、係止溝２２の数は２つに限定されるものではなく、用途や規模により適宜増減可能である。また、ハンガーレール２の表面には、施工等のための溝は形成されないが、意匠設計時に、必要に応じて、表面に凹凸模様等が施される場合がある。
【００２７】
支持ブラケット３のブラケット本体４は、ねじ８により壁面９に固定される基面１１と、基面１１の中央から表面側へ適宜寸法突出した支柱部１２を備える。支柱部１２の突出寸法により、ハンガーレール２と壁面９との隙間寸法が決定される。支柱部１２は空間１２０を有する断面略コ字状を呈し、表面側上部の先端には、下方向にくびれた首部１４を介して、ハンガーレール２の中央係止溝２１に係止される係止突部１３が突出形成されている。係止突部１３の図における上側は、中央係止溝２１の上側の形状に合わせて形成されている。首部１４は、ハンガーレール２の抜止片２３ａが係合する形状に形成され、首部１４から支柱部１２の上端面までの間には、基面１１側に向かって傾斜した案内面１４１が設けられている。支柱部１２の上側面に上下方向に雌ねじ１５が形成され、ねじ部材６が螺合される。
【００２８】
係止板５は、略矩形の板状を呈し、ねじ部材６が螺合される雌ねじ１７が形成されている。係止板５の表面側（図の左側）に、ハンガーレール２の中央係止溝２１に係止される係止突部１６が形成されている。係止突部１６の図における下側は、中央係止溝２１の下側の形状に合わせて形成されている。係止板５は、支柱部１２の先端部を切割して形成され、それぞれの係止突部１３，１６は上下対称形である。支柱部１２の係止突部１３と係止板５の係止突部１６とを重ね合わせたときの係止突部１３，１６の先端は楔面に形成され、上下方向の最大幅ｄは、ハンガーレール２の中央係止溝２１内部の上下幅寸法Ｄ１よりも小さく、中央係止溝２１の開口幅Ｄ２よりも若干大きい。
【００２９】
カバー７は、ブラケット本体４の外側面を覆うものであり、基面１１の壁面９への取付部やねじ部材６の視覚的露出を遮るとともに、防水等の機能を有する。尚、カバー７は、本発明における必須要件ではなく、防水対策等が特に必要でない場合等には設けなくてもよい。
【００３０】
次に、上記各部品からなる壁面用ハンガーレール構造１を壁面９に施工する際の手順を、図に基づいて説明する。
【００３１】
図１に示すように、支持ブラケット３の支柱部１２の空間１２０に係止板５を配置し、支柱部１２の係止突部１３と係止板５の係止突部１６との切割部を重ね合わせた状態で、下方から切割に交差してねじ部材６を挿入し、雌ねじ１７，１５に螺合させる。支柱部１２の上側面を貫通したねじ部材６の先端を、座金１８で固定する。ブラケット本体４の基面１１を壁面９に当接させて、ねじ８により壁面９に固定する。その後ブラケット本体４にカバー７を被せる。
【００３２】
次に、図２に示すように、ハンガーレール２を案内面１４１の傾斜に沿って傾け、中央係止溝２１の上側の抜止片２３ａを、首部１４に引っ掛ける。これにより、支柱部１２の係止突部１３が、中央係止溝２１内の上部に挿入される。
【００３３】
抜止片２３ａを首部１４に引っ掛けた状態でハンガーレール２を図の矢印Ａ方向に回転させることにより、係止突部１６が中央係止溝２１の開口を通過し、両係止突部１３，１６が中央係止溝２１内部に挿入される。支柱部１３の下部表面側の端面１９が、ハンガーレール２の抜止片２３ｂの裏面に当接すると、ハンガーレール２が壁面９と平行になる。このとき、図３に示すように、支柱部１２及び係止板５の係止突部１３，１６が、中央係止溝２１内部の上端側に配置される。この状態が仮止であり、その後、支柱部１２の下側から、ねじ部材６を回す。
【００３４】
ねじ部材６を回すことにより、係止板５が下側に引き寄せられ、係止突部１３，１６全体が拡径する。図４に示すように、係止板５の係止突部１６が中央係止溝２１の下端に当接し、係止突部１３の上端から係止突部１６の下端までの上下寸法が中央係止溝２１の幅と一致して、それ以上ねじ部材６が回らなくなるまで、ねじ部材６を回す。このとき、係止突部１６と端面１９により抜止片２３ｂが挟み込まれる。こうして、ハンガーレール２が支持ブラケット３に固定される。この状態では、ハンガーレール２に振動等が加わっても、支持ブラケット３から外れることはない。ハンガーレール２を取り外すときには、ねじ部材６を逆方向に回し、抜止片２３ａを首部１４に引っ掛けたままで案内面１４１の傾斜に沿ってハンガーレール２を傾けることにより、容易に外すことが出来る。
【００３５】
尚、支持ブラケット３の取付方向が上下逆方向でも、ハンガーレール２を取り付けることは可能であるが、防水、防埃等を考慮すると、上記の方向に取り付けることが好ましい。また、支持ブラケット３は、ハンガーレール２の長さや用途等に応じて、適宜間隔で複数取り付ける。
【００３６】
このようにして施工されたハンガーレール構造１に、図５に示すように、例えば天板４１や棚４２等の各機能部品を取り付ける。天板４１は、コ字形の係止部分４１ａを有し、ハンガーレール２の上側の係止溝２２の下側（内側）の支持片２４に取り付けられる。このとき、ハンガーレール２の上端面が天板４１の板部４１１の下面を支え、板部４１１の背面部が壁面９に押さえつけられる。さらに、天板４１の台座部４１２の上部がハンガーレール２の裏面に押さえ付けられている。このように、天板４１は複数個所により支持され、安定して取り付けられる。棚４２は、コ字形の係止部分４２ａを有し、ハンガーレール２の下側の係止溝２２の下側（外側）の支持片２５に取り付けられる。棚４２の背面４２１は壁面９に押さえつけられ、棚４２が安定して取り付けられる。
【００３７】
図６は、図５のＢ部の拡大図であり、棚４２がハンガーレール２に係止された部分を示す。
【００３８】
ハンガーレール２の係止溝２２内側の端部には、係止部分４２ａの一方の係止片４２２を当接する当接面部２２２が設けられている。当接面部２２２は、係止溝２２の中央部の底面２２１から、誘導傾斜面２２３によって連結される。棚４２の係止部分４２ａは、係止片４２２が係止溝２２の側部２２４にはめ込まれる。このとき、係止片４２２の表面側４２６は、誘導傾斜面２２３により当接面部２２２へ誘導され、先端４２７が側部２２４にはめ込みされる。また、ハンガーレール２の支持片２５の外側２５２に切り込み部２５１が形成されていて、係止部分４２ａの内側に形成された小突起４２３が、この切り込み部２５１に係合される。小突起４２３の係合により、係止部分４２ａが正しい位置に取り付けられたことが確認できる。このようにして、当接面部２２２と係止片４２２の表面４２６、支持片２５の端部２５３と係止部分４２ａの凹部底面４２４、及び、支持片２５の外側２５３と凹部側面４２５が当接し、複数個所で支持されて、係止部分４２ａがハンガーレール２に取り付けられる。以上のような係止部分４２ａの構造は、天板４１の係止部分４１ａに関しても同様である。  
【００３９】
本実施の形態において、壁面用ハンガーレール構造１は、ハンガーレール２の裏面に設けた中央係止溝２１を用いて、簡単な工程により施工される。そして、壁面９への取付構造部や各種機能部品の取付部が室内から視認されにくいので、異物感が生じることがなく、外観を低下させない。
【００４０】
図７は、様々な機能部品が取り付けられた壁面用ハンガーレール構造１の例を示す。図５で示した天板４１や棚４２の他、例えばロールペーパーホルダ４３、フック４４、本棚４５、小物用ボックス４６、椅子４７、傘立て４８、鏡４９等、多種多様な部品を取り付けることができる。このように様々な機能部品を取り付けることにより、玄関や台所、脱衣所等、あらゆる場所に設置して利用することができる。
【００４１】
図７に示すように、支持ブラケット３は、ハンガーレール２の長さや取り付ける機能部品の種類等に応じて、適宜間隔で複数取り付けられる。また、ハンガーレール２の左右両端には、端部カバー２９を取り付けて、ハンガーレール２の溝の露出により外観が損なわれるのを防ぐ。図８は、端部カバー２９の例を示す。端部カバー２９は、ハンガーレール２端部の外周を覆うケーシング２９１と、中央係止溝２１に挿入される栓部２９２を備える。尚、栓部２９２は図８に示す形状に限らず、上下の係止溝２２を塞ぐ形状のものを設けたり、中央係止溝２１及び上下の係止溝２２の全て又はいずれかの係止溝の端部に挿入される形状のものでもよい。また、栓部を設けずに外側のケーシング２９１だけでもよい。
【００４２】
次に、本発明の異なる実施の形態について、図９〜図１１を参照して説明する。尚、前述の実施の形態と同様の部分については、同じ符号を付して説明する。
【００４３】
本実施の形態において、ハンガーレール構造１０は、ハンガーレール２０と支持ブラケット３０からなり、支持ブラケット３０は、支柱部３２を有するブラケット本体３３、ねじ部材３８、カバー３９により構成される。
【００４４】
ハンガーレール２０は、前述の実施の形態と同様、金属や合成樹脂を材料とした長尺の部材である。ハンガーレール２０の裏面側には、後述する支持ブラケット３０の２つの係止突部３４，３４を係止する２つの中央係止溝２６，２６と、各種機能部品を取り付けるための係止溝２２が形成されている。中央係止溝２６及び係止溝２２は、ハンガーレール２０の長さ方向に沿って形成される。さらに、本実施の形態では、ハンガーレール２０の中央に係止部２７が突出形成され、その上下に２つの中央係止溝２６，２６が設けられる。係止部２７は、ハンガーレール２０の長さ方向に沿って形成されても良いし、円筒状のものを適宜間隔で複数設けてもよい。係止部２７には、上下に切り込み部２８が設けられ、裏面側の先端付近に、切り込み部２８よりも小さい切り欠き２９が形成される。さらに、ハンガーレール２０の上下両端側に、図１のハンガーレール２と同様に、２つの係止溝２２，２２が形成されている。係止溝２２，２２の開口側には、それぞれハンガーレール２の幅方向内側の支持片２４と外側の支持片２５が設けられる。尚、切り込み部２８及び切り欠き２９は、後述する支持ブラケット３０への取り付けにおいて、上下両方に設けなくてもよいが、上下両方に設けてハンガーレール２０の縦断面形状を上下対称とすることにより、上下いずれの向きでも取り付けが可能となり、施工作業が容易になる。
【００４５】
支持ブラケット３０のブラケット本体３３は、ねじ８により壁面９に固定される基面３１と、基面３１の中央に表面方向に適宜寸法だけ突出する支柱部３２を備える。支柱部３２の先端には、ハンガーレール２０の中央係止溝２６，２６に係止される係止突部３４，３４が設けられている。支柱部３２の中央には、ハンガーレール２０の係止部２７が嵌め込まれる支持溝３５が水平方向に設けられる。支持溝３５には、ハンガーレール２０の切り欠き２９に係合可能な小突起３７が形成される。支柱部３２の下側面には、ねじ部材３８が螺合可能な雌ねじ３６が貫通形成され、支柱部３２の下方からねじ部材３８が螺合されている。ねじ部材３８は、例えば六角穴付き止めねじが用いられる。
【００４６】
以下、本実施の形態に係るハンガーレール構造１０を壁面９に施工する際の手順を説明する。
【００４７】
図９に示すように、ねじ部材３８を螺合したブラケット本体３３の基面３１を壁面９に当接させて、ねじ８により壁面９に固定する。ねじ部材３８は、先端が支持溝３５の外側（図の下側）に位置するように螺合される。ブラケット本体３３にカバー３９を被せる。
【００４８】
次に、図１０に示すように、ハンガーレール２０の係止部２７を支持ブラケット３０の支持溝３５に挿入するとともに、係止突部３４，３４を係止溝２６，２６に嵌め込む。係止部２７の切り欠き２９が小突起３７に係合されることにより、係止部２７が位置決めされ、ハンガーレール２０が仮固定される。この状態で、支柱部３２の下側から、ねじ部材３８を回す。
【００４９】
図１１に示すように、ねじ部材３８の先端がハンガーレール２０の係止部２７の切り込み部２８に当接し、それ以上回らなくなるまでねじ部材３８を回すことにより、係止部２７が支持溝３５内に係止されるとともに、係止突部３４，３４が上下方向に拡径して係止溝２６，２６内に係止され、ハンガーレール２０が取り付けられる。
【００５０】
尚、この場合にも、前述の実施の形態と同様、支持ブラケット３０の取付方向が上下逆方向でもハンガーレール２０を取り付けることは可能であるが、防水、防埃等を考慮すると、上記の方向に取り付けることが好ましい。
【００５１】
このようにして、容易な取付作業により、ハンガーレール２０が壁面９から隙間を設けて取り付けられ、振動等が加わっても、ハンガーレール２０が支持ブラケット３０から外れることはない。ハンガーレール２０を取り外すときには、ねじ部材３８を逆方向に回すことにより、容易に外すことが出来る。このハンガーレール構造１０と棚等の各機能性部材との取付構造は、前述の実施の形態と同様である。
【産業上の利用可能性】
【００５２】
本発明に係る壁面用ハンガーレールの取付構造は、屋内、屋外に関わらず壁面に施工するハンガーレールに適用することができる。また、大きさ等を変更することにより、広範な規模に適用することができる。
【図面の簡単な説明】
【００５３】
【図１】本発明に係るハンガーレール構造の支持ブラケットを壁面に取り付けた状態を示す縦断面図。
【図２】図１にハンガーレールを取り付ける際の最初の工程を示す縦断面図。
【図３】図２に続く工程を示す縦断面図。
【図４】本発明の実施の形態を示す縦断面図。
【図５】図４に機能部品を取り付けた例を示す縦断面図。
【図６】図５のＢ部の拡大断面図。
【図７】本発明の壁面用ハンガーレール構造の使用例を示す斜視図。
【図８】端部カバーの例を示す斜視図。
【図９】本発明の異なる実施の形態における支持ブラケットを壁面に取り付けた状態を示す縦断面図。
【図１０】図９にハンガーレールを取り付ける際の一工程を示す縦断面図。
【図１１】本発明の異なる実施の形態を示す縦断面図。
【図１２】試験した実施例を示す縦断面図。
【符号の説明】
【００５４】
１  ハンガーレール構造
２  ハンガーレール
３  支持ブラケット
４  ブラケット本体
５  係止板
６  ねじ部材
９  壁面
１２  支柱部
１３，１６  係止突部
２１  中央係止溝
２２  係止溝
２３ａ，２３ｂ  抜止片
２４，２５  支持片
【図１】
2008061666.tif 000003
【図２】
2008061666.tif 000004
【図３】
2008061666.tif 000005
【図４】
2008061666.tif 000006
【図５】
2008061666.tif 000007
【図６】
2008061666.tif 000008
【図７】
2008061666.tif 000009
【図８】
2008061666.tif 000010
【図９】
2008061666.tif 000011
【図１０】
2008061666.tif 000012
【図１１】
2008061666.tif 000013
【図１２】
2008061666.tif 000014